(57)【要約】      （修正有）【課題】少ない消費電力で着信を報知できる技術を提供する。【解決手段】端末は、着信があることをバイブレーションによって通知する振動手段と、着信を検出すると、外部から端末に加わっている振動量を測定する測定手段と、前記測定した振動量に基づいて、前記バイブレーションをユーザが気づくか否かを判定し、気づくと判定した場合に前記振動手段をバイブレーションさせる制御手段とを有する。【選択図】図１
2012178753.tif 000002
【特許請求の範囲】
【請求項１】
端末であって、
着信があることをバイブレーションによって通知する振動手段と、
着信を検出すると、外部から端末に加わっている振動量を測定する測定手段と、
前記測定した振動量に基づいて、前記バイブレーションをユーザが気づくか否かを判定し、気づくと判定した場合に前記振動手段をバイブレーションさせる制御手段と
を有することを特徴とする端末。
【請求項２】
前記測定手段は、ユーザが前記着信に気づくまで、定期的に測定することを特徴とする請求項１に記載の端末。
【請求項３】
前記制御手段は、前記判定の結果、気づかないと判定した場合に前記振動手段の振動を中止させることを特徴とする請求項１又は請求項２に記載の端末。
【請求項４】
前記制御手段は、連続で複数回、気づくと判定した場合に前記振動手段をバイブレーションさせることを特徴とする請求項１から請求項３のいずれかに記載の端末。
【請求項５】
前記測定手段は、前記振動手段がバイブレーションしていない時に測定することを特徴とする請求項１から請求項４のいずれかに記載の端末。
【請求項６】
端末の制御方法であって、
着信を検出すると、外部から端末に加わっている振動量を測定する測定ステップと、
前記測定した振動量に基づいて、前記バイブレーションをユーザが気づくか否かを判定する判定ステップと、
前記判定ステップで、気づくと判定された場合に振動部をバイブレーションさせる制御ステップと
を有することを特徴とする制御方法。
【請求項７】
端末のプログラムであって、前記プログラムは前記端末を、
着信があることをバイブレーションによって通知する振動手段と、
着信を検出すると、外部から端末に加わっている振動量を測定する測定手段と、
前記測定した振動量に基づいて、前記バイブレーションをユーザが気づくか否かを判定し、気づくと判定した場合に前記振動手段をバイブレーションさせる制御手段と
して機能させることを特徴とするプログラム。
【発明の詳細な説明】
【技術分野】
【０００１】
本願発明は、端末、制御方法、及び端末のプログラムに関する。
【背景技術】
【０００２】
一般に、携帯電話機に代表される端末をポケットに入れて、特に徒歩で移動しているような場合には、着信時、バイブレータが振動しても気がつかないことが多い。
【０００３】
このような問題点を解決するために、端末の移動状況に応じて、着信報知の方法を切り替える技術がある（特許文献１）。また、バイブレータの振動強度を大きくする技術がある（例えば特許文献２又は特許文献３）。
【先行技術文献】
【特許文献】
【０００４】
【特許文献１】特開２００８−１４８１５５号公報
【特許文献２】特開２００３−０１８２４５号公報
【特許文献３】特開２００４−２３６２０２号公報
【発明の概要】
【発明が解決しようとする課題】
【０００５】
端末の移動状況に応じて着信報知の方法を切り替える技術を用いると、常に加速度センサを動作させていかなければならず、消費電力が増えてしまうため、電池で動作する端末にとっては致命的な欠点であった。
【０００６】
また、バイブレータの振動強度を大きくするということは、バイブレータの駆動電流を増やすことになり、消費電力が増えてしまうため、電池で動作する端末にとっては致命的な欠点であった。
【０００７】
そこで、本願発明が解決しようとする課題は、上記欠点を解決することにあり、少ない消費電力で着信を報知できる技術を提供することにある。
【課題を解決するための手段】
【０００８】
上記課題を解決するための本願発明は、端末であって、着信があることをバイブレーションによって通知する振動手段と、着信を検出すると、外部から端末に加わっている振動量を測定する測定手段と、前記測定した振動量に基づいて、前記バイブレーションをユーザが気づくか否かを判定し、気づくと判定した場合に前記振動手段をバイブレーションさせる制御手段とを有することを特徴とする。
【０００９】
上記課題を解決するための本願発明は、端末の制御方法であって、着信を検出すると、外部から端末に加わっている振動量を測定する測定ステップと、前記測定した振動量に基づいて、前記バイブレーションをユーザが気づくか否かを判定する判定ステップと、前記判定ステップで、気づくと判定された場合に振動部をバイブレーションさせる制御ステップとを有することを特徴とする。
【００１０】
上記課題を解決するための本願発明は、端末のプログラムであって、前記プログラムは前記端末を、着信があることをバイブレーションによって通知する振動手段と、着信を検出すると、外部から端末に加わっている振動量を測定する測定手段と、前記測定した振動量に基づいて、前記バイブレーションをユーザが気づくか否かを判定し、気づくと判定した場合に前記振動手段をバイブレーションさせる制御手段として機能させることを特徴とする。
【発明の効果】
【００１１】
本発明によると、少ない消費電力で着信を報知できる。
【図面の簡単な説明】
【００１２】
【図１】図１は、本願発明の端末のブロック図である。
【図２】図２は、第１の実施の形態の動作のタイミングを説明するための図である。
【図３】図３は、第１の実施の形態の動作を説明するための図である。
【図４】図４は、第２の実施の形態の動作のタイミングを説明するための図である。
【図５】図５は、第２の実施の形態の動作を説明するための図である。
【発明を実施するための形態】
【００１３】
本発明の特徴を説明するために、以下において、図面を参照して具体的に述べる。
【００１４】
本発明は、着信があることをバイブレーションによって通知することができる端末であって、着信を検出すると、外部から端末に加わっている振動量を測定し、この測定した振動量に基づいて、ユーザがバイブレーションに気づくか否かを判定し、気づくと判定した場合に前記振動手段をバイブレーションさせることを特徴とする。この特徴により、少ない消費電力で着信を報知できる。
【００１５】
本発明を実施するための第１の実施の形態について図面を参照して詳細に説明する。
【００１６】
図１に本発明の第１の実施の形態のブロック図を示す。
【００１７】
本発明の端末は、携帯端末に代表されるような、ユーザがポケット等に保持して持ち歩ける端末である。端末は、バイブレータ１０１、加速度センサ１０２、メモリ１０３、及びＣＰＵ１０４を有する。
【００１８】
バイブレータ１０１は、バイブレーション機能を有し、端末に電話又はメール等の着信があると振動してユーザに着信を報知する。
【００１９】
加速度センサ１０２は、着信があると、外部から端末に加わっている振動量を測定する。
【００２０】
メモリ１０３には、バイブレータ１０１のバイブレーション機能をＯＮにするかを判定する際に用いる閾値が記憶されている。
【００２１】
ＣＰＵ１０４は、電話又はメール等の着信を検出すると、加速度センサ１０２に対して、測定開始を通知する。また、加速度センサ１０２が測定した振動量とメモリ１０３に記憶されている閾値とを比較して、ユーザがバイブレーションに気づくか否か、すなわち、バイブレータ１０１のバイブレーション機能をＯＮにするかを判定する。バイブレーション機能をＯＮにすると判定すると、バイブレータ１０１に対して、バイブレーション開始を通知する。また、ＣＰＵ１０４は、ユーザが着信に気づいて、電話に出る又はメールを見る等の何らかのアクションを端末に対して行ったかを確認する。行わなかった場合、バイブレータが一定時間又は一定回数振動後、加速度センサ１０２に対して測定開始を通知する。バイブレータ１０１の振動が、測定する振動量に影響を及ぼさないようにするために、振動中には測定しないタイミングで測定開始を通知する。
【００２２】
図２に第一の実施例の動作タイミングを示す。図２（ａ）は振動量と測定時間との関係を示し、図２（ｂ）は振動量測定に応じたバイブレーション機能のＯＮとＯＦＦとを示している。測定（１）、（２）及び（５）では振動量が閾値より小さいのでユーザはバイブレータの振動に気づくと判断されるため、バイブレーション機能がＯＮになっている。測定（３）及び（４）では、振動量が閾値より大きいのでユーザはバイブレータの振動に気づかないと判断されるため、バイブレーション機能がＯＮになっていない。
【００２３】
続いて、本実施の形態の動作について説明する。図３は、本実施の形態の動作を説明するためのフローチャートである。
【００２４】
ＣＰＵ１０４が、例えば、メールの着信を検出すると、加速度センサ１０２に対して測定開始を命令する（２０１）。
【００２５】
加速度センサ１０２は、外部から端末に加わっている振動量を測定する（２０２）。
【００２６】
ＣＰＵ１０４は、測定された振動量がしきい値以下であるか否かを判定する（２０３）。測定した振動量が閾値以下で無い場合には、そのまま２０２に戻る。もしくは、音声による着信報知を行った後に２０２に戻ってもよい。
【００２７】
一方、閾値以下の場合には、バイブレータ１０１に対してバイブレーション開始を通知する（２０３：Ｙｅｓ）。バイブレータ１０１は振動を開始する（２０４）。
【００２８】
ユーザが着信に気づいて何らかのアクションを端末に対して行ったかを確認する（２０５）。行った場合（２０５：Ｙｅｓ）、そのまま終了。
【００２９】
一方、行わなかった場合（２０５：Ｎｏ）、バイブレータ１０１が一定時間又は一定回数振動後（２０６）、２０２に戻る。
【００３０】
本発明によると、ユーザが静止状態に近いが故にバイブレータによる報知が可能であると判定される時にバイブレータ１０１をＯＮにさせ、バイブレータによる報知が困難であると考えられる時にはバイブレータ１０１をＯＮしないので、電池を無駄にすることが無い。
【００３１】
次に、第２の実施の形態について説明する。尚、上記実施の形態と同様の構成については同様の番号を付し、詳細な説明は省略する。
【００３２】
ＣＰＵ１０４は、加速度センサ１０２が測定した振動量とメモリ１０３に記憶されている閾値とを比較して、ｎ（Ｎ≧２：Ｎは自然数であり、任意）回連続して閾値以下であると判定すると、バイブレータ１０１に対してバイブレーション開始を通知する。
【００３３】
メモリ１０３には、任意の数であるｎが記憶されている。
【００３４】
図４に、に第二の実施の形態の動作タイミングを示す。図４（ａ）は振動量と測定時間との関係を示し、図４（ｂ）は振動量測定に応じたバイブレーション機能のＯＮとＯＦＦとを示している。測定（２）、（３）及び（４）では３回連続で振動量が閾値より小さいのでユーザはバイブレータの振動に気づくと判断され、バイブレーション機能がＯＮになっている。
【００３５】
図５に本実施の形態の動作を説明するためのフローチャートを示す。
【００３６】
ＣＰＵ１０４が、例えば、メールの着信を検出すると、加速度センサ１０２に対して測定開始を命令する（５０１）。
【００３７】
加速度センサ１０２は、外部から端末に加わっている振動量を測定する（５０２）。
【００３８】
ＣＰＵ１０４は、測定された振動量がしきい値以下であるか否かを判定する（５０３）。測定した振動量が閾値以下で無い場合には（５０３：ＮＯ）、そのまま５０２に戻る。もしくは、音声による着信報知を行った後に５０２に戻ってもよい。
【００３９】
一方、閾値以下の場合には（５０３：Ｙｅｓ）、連続で所定の回数、閾値以下の結果を測定したかを確認する（５０４）。所定の回数未満の場合は（５０４：ＮＯ）、５０２に戻る。
【００４０】
一方、所定の回数以上の場合は、バイブレータ１０１に対してバイブレーション開始を通知する（５０４：Ｙｅｓ）。バイブレータ１０１は振動を開始する（５０５）。
【００４１】
ユーザが着信に気づいて何らかのアクションを端末に対して行ったかを確認する（５０６）。行った場合（５０６：Ｙｅｓ）、そのまま終了。
【００４２】
一方、行わなかった場合（５０６：Ｎｏ）、バイブレータ１０１が一定時間又は一定回数振動後（５０７）、５０２に戻る。
【００４３】
本実施の形態によると、複数回連続で静止状態に近いと判断しているため、バイブレータにより確実に着信をユーザに報知することができる。
【００４４】
以上、実施の形態をあげて本発明を説明したが、本発明は必ずしも上記実施の形態に限定されるものではなく、その技術的思想の範囲内において様々に変形し実施することが出来る。
【００４５】
（付記１）
端末であって、
着信があることをバイブレーションによって通知する振動手段と、
着信を検出すると、外部から端末に加わっている振動量を測定する測定手段と、
前記測定した振動量に基づいて、前記バイブレーションをユーザが気づくか否かを判定し、気づくと判定した場合に前記振動手段をバイブレーションさせる制御手段と
を有することを特徴とする端末。
【００４６】
（付記２）
前記測定手段は、ユーザが前記着信に気づくまで、定期的に測定することを特徴とする付記１に記載の端末。
【００４７】
（付記３）
前記制御手段は、前記判定の結果、気づかないと判定した場合に前記振動手段の振動を中止させることを特徴とする付記１又は付記２に記載の端末。
【００４８】
（付記４）
前記制御手段は、連続で複数回、気づくと判定した場合に前記振動手段をバイブレーションさせることを特徴とする付記１から付記３のいずれかに記載の端末。
【００４９】
（付記５）
前記測定手段は、前記振動手段がバイブレーションしていない時に測定することを特徴とする付記１から付記４のいずれかに記載の端末。
【００５０】
（付記６）
端末の制御方法であって、
着信を検出すると、外部から端末に加わっている振動量を測定する測定ステップと、
前記測定した振動量に基づいて、前記バイブレーションをユーザが気づくか否かを判定する判定ステップと、
前記判定ステップで、気づくと判定された場合に振動部をバイブレーションさせる制御ステップと
を有することを特徴とする制御方法。
【００５１】
（付記７）
前記測定ステップは、ユーザが前記着信に気づくまで、定期的に測定することを特徴とする付記６に記載の制御方法。
【００５２】
（付記８）
前記制御ステップは、前記判定の結果、気づかないと判定した場合に前記振動部の振動を中止させることを特徴とする付記６又は付記７に記載の制御方法。
【００５３】
（付記９）
前記制御ステップは、複数回連続で、気づくと判定した場合に前記振動部をバイブレーションさせることを特徴とする付記６から付記８のいずれかに記載の制御方法。
【００５４】
（付記１０）
前記測定ステップは、前記振動部がバイブレーションしていない時に測定することを特徴とする付記６から付記９のいずれかに記載の制御方法。
【００５５】
（付記１１）
端末のプログラムであって、前記プログラムは前記端末を、
着信があることをバイブレーションによって通知する振動手段と、
着信を検出すると、外部から端末に加わっている振動量を測定する測定手段と、
前記測定した振動量に基づいて、前記バイブレーションをユーザが気づくか否かを判定し、気づくと判定した場合に前記振動手段をバイブレーションさせる制御手段と
して機能させることを特徴とするプログラム。
【００５６】
（付記１２）
前記測定手段は、ユーザが前記着信に気づくまで、定期的に測定することを特徴とする付記１１に記載のプログラム。
【００５７】
（付記１３）
前記制御手段は、前記判定の結果、気づかないと判定した場合に前記振動手段の振動を中止させることを特徴とする付記１１又は付記１２に記載のプログラム。
【００５８】
（付記１４）
前記制御手段は、連続で複数回、気づくと判定した場合に前記振動手段をバイブレーションさせることを特徴とする付記１１から付記１３のいずれかに記載のプログラム。
【００５９】
（付記１５）
前記測定手段は、前記振動手段がバイブレーションしていない時に測定することを特徴とする付記１１から付記１４のいずれかに記載のプログラム。
【符号の説明】
【００６０】
１０１    バイブレータ
１０２    加速度センサ
１０３    メモリ
１０４    ＣＰＵ
【図１】
2012178753.tif 000003
【図２】
2012178753.tif 000004
【図３】
2012178753.tif 000005
【図４】
2012178753.tif 000006
【図５】
2012178753.tif 000007